(57)【要約】【課題】              導電電流によるアンテナ特性の劣化を抑制することができる携帯電話機を提供すること。【解決手段】          アンテナ５０側から見て少なくともアンテナ５０と導体部分２１が重なる領域に配設されるとともに、アンテナ５０と導体部分２１の間にアンテナ５０及び導体部分２１のそれぞれと所定の間隔をおいて配され、かつ、導体部分２１から流れてきた電流を、導体部分２１を流れる電流の反転方向に誘導する反転エレメント６０と、を備えることを特徴とする。【選択図】            図１
2006086715.tif 000002
【特許請求の範囲】
【請求項１】
アンテナ側から見て少なくとも前記アンテナと導体部分が重なる領域の全体又は一部の領域に配設されるとともに、前記アンテナと前記導体部分との間に前記アンテナ及び前記導体部分のそれぞれと所定の間隔をおいて配され、かつ、前記導体部分から流れてきた電流を、前記導体部分を流れる電流の反転方向に誘導する反転エレメントを備えることを特徴とする携帯電話機。
【請求項２】
アンテナ側から見て少なくとも前記アンテナと導体部分が重なる領域の全体又は一部の領域に配設されるとともに、前記アンテナと前記導体部分との間に前記アンテナ及び前記導体部分のそれぞれと所定の間隔をおいて配され、かつ、前記アンテナ側から見て前記アンテナに給電する前記導体部分の部位から離れた位置であって前記アンテナの先端部よりも先側の位置で前記導体部分と１又は２以上の接続部を介して電気的に接続する反転エレメントを備えることを特徴とする携帯電話機。
【請求項３】
筐体、及びその内部に実装された部品の一方又は両方における所定の部位に配された導体部分と、
前記筐体の外部に引き出されるとともに、前記導体部分の近傍で所定の方向に延在するアンテナと、
前記導体部分の所定の位置に配されるとともに、前記アンテナに給電する給電部と、
前記アンテナ側から見て少なくとも前記アンテナと前記導体部分が重なる領域の全体又は一部の領域に配設されるとともに、前記アンテナと前記導体部分との間に前記アンテナ及び前記導体部分のそれぞれと所定の間隔をおいて配され、かつ、前記導体部分から流れてきた電流を、前記導体部分を流れる電流の反転方向に誘導する反転エレメントと、
を備えることを特徴とする携帯電話機。
【請求項４】
筐体、及びその内部に実装された部品の一方又は両方における所定の部位に配された導体部分と、
前記筐体の外部に引き出されるとともに、前記導体部分の近傍で所定の方向に延在するアンテナと、
前記導体部分の所定の位置に配されるとともに、前記アンテナに給電する給電部と、
前記アンテナ側から見て少なくとも前記アンテナと前記導体部分が重なる領域の全体又は一部の領域に配設されるとともに、前記アンテナと前記導体部分との間に前記アンテナ及び前記導体部分のそれぞれと所定の間隔をおいて配され、かつ、前記アンテナ側から見て前記給電部から離れた位置であって前記アンテナの先端部よりも先側の位置で前記導体部分と１又は２以上の接続部を介して電気的に接続する反転エレメントと、
を備えることを特徴とする携帯電話機。
【請求項５】
第１の筐体、及びその内部に実装された部品の一方又は両方における所定の部位に配された第１の導体部分と、
第２の筐体、及びその内部に実装された部品の一方又は両方における所定の部位に配されるとともに、連結部を介して前記第１の導体部分と折り畳み可能に連結され、かつ、前記第１の導体部分と電気的に接続された第２の導体部分と、
前記第１の筐体の前記連結部の近傍から前記第１の筐体の外部に引き出されるとともに、前記第１の筐体と前記第２の筐体が開いたときに前記第２の導体部分の近傍で所定の方向に延在するアンテナと、
前記第１の導体部分の前記連結部の近傍に配されるとともに、前記アンテナに給電する給電部と、
前記第１の筐体と前記第２の筐体が開いたときに、前記アンテナ側から見て少なくとも前記アンテナと前記第２の導体部分が重なる領域の全体又は一部の領域に配設されるとともに、前記アンテナと前記第２の導体部分との間に前記アンテナ及び前記第２の導体部分のそれぞれと所定の間隔をおいて配され、かつ、前記第２の導体部分から流れてきた電流を、前記第２の導体部分を流れる電流の反転方向に誘導する反転エレメントと、
を備えることを特徴とする携帯電話機。
【請求項６】
第１の筐体、及びその内部に実装された部品の一方又は両方における所定の部位に配された第１の導体部分と、
第２の筐体、及びその内部に実装された部品の一方又は両方における所定の部位に配されるとともに、連結部を介して前記第１の導体部分と折り畳み可能に連結され、かつ、前記第１の導体部分と電気的に接続された第２の導体部分と、
前記第１の筐体の前記連結部の近傍から前記第１の筐体の外部に引き出されるとともに、前記第１の筐体と前記第２の筐体が開いたときに前記第２の導体部分の近傍で所定の方向に延在するアンテナと、
前記第１の導体部分の前記連結部の近傍に配されるとともに、前記アンテナに給電する給電部と、
前記第１の筐体と前記第２の筐体が開いたときに、前記アンテナ側から見て少なくとも前記アンテナと前記第２の導体部分が重なる領域の全体又は一部の領域に配設されるとともに、前記アンテナと前記第２の導体部分との間に前記アンテナ及び前記第２の導体部分のそれぞれと所定の間隔をおいて配され、かつ、前記アンテナ側から見て前記連結部から離れた位置であって前記アンテナの先端部よりも先側の位置で前記第２の導体部分と１又は２以上の接続部を介して電気的に接続する反転エレメントと、
を備えることを特徴とする携帯電話機。
【請求項７】
前記反転エレメントは、板状の導体であるとともに、前記第２の導体部分及び前記アンテナの一方又は両方に略平行に配置されることを特徴とする請求項５又は６記載の携帯電話機。
【請求項８】
前記反転エレメントは、所定の位置に穴及び切り欠きの一方又は両方を有することを特徴とする請求項１乃至７のいずれか一に記載の携帯電話機。
【請求項９】
前記反転エレメントには、筐体長に対する通信波長が短い場合に長手方向の長さが小さいものを用い、筐体長に対する通信波長が長い場合に長手方向の長さが大きいものを用いることを特徴とする請求項１乃至８のいずれか一に記載の携帯電話機。
【請求項１０】
前記反転エレメントには、筐体長に対する通信波長が長い場合に短手方向の長さが小さいものを用い、筐体長に対する通信波長が短い場合に短手方向の長さが大きいものを用いることを特徴とする請求項１乃至９のいずれか一に記載の携帯電話機。
【請求項１１】
前記反転エレメントは、前記連結部側の部位の短手方向の幅を、前記接続部側の部位の短手方向の幅より狭くなるように構成したことを特徴とする請求項１乃至１０のいずれか一に記載の携帯電話機。
【請求項１２】
前記アンテナの先端部は、コイル状であることを特徴とする請求項１乃至１１のいずれか一に記載の携帯電話機。
【請求項１３】
前記接続部は、筐体長に対する通信波長が短い場合に前記連結部寄りの位置に配置され、筐体長に対する通信波長が長い場合に前記連結部から離れた位置に配置されることを特徴とする請求項６乃至１２のいずれか一に記載の携帯電話機。
【請求項１４】
前記接続部は、コネクタを有することを特徴とする請求項６乃至１３のいずれか一に記載の携帯電話機。
【請求項１５】
前記接続部は、クッション性のある導電材よりなり、かつ、前記反転エレメントと前記第２の導体部分の間に介在することを特徴とする請求項６乃至１４のいずれか一に記載の携帯電話機。
【請求項１６】
前記接続部は、高周波電流における容量結合部分を有することを特徴とする請求項６乃至１５のいずれか一に記載の携帯電話機。
【請求項１７】
前記反転エレメントと前記第２の導体部分の間に介在するとともに、絶縁材よりなるスペーサを備えることを特徴とする請求項５乃至１６のいずれか一に記載の携帯電話機。
【請求項１８】
前記スペーサは、絶縁性クッション材よりなることを特徴とする請求項１７記載の携帯電話機。
【発明の詳細な説明】
【技術分野】
【０００１】
本発明は、携帯電話機に関し、特に、導体部分を流れる導電電流によるアンテナ特性の劣化を抑制することができる携帯電話機に関する。
【背景技術】
【０００２】
近年の携帯電話機は、収納性、表示画面や操作面の保護等の観点から、２つの筐体が連結部（ヒンジ部、回動部、レボルバ部等の機械的接続部）を介して折り畳み可能に接続されたタイプのものが主流となっている。また、折り畳み型携帯電話機の薄型化、使い勝手等の観点から、各筐体の連結部付近に外部アンテナや内蔵アンテナを配置したタイプのものも多くなっている。
【０００３】
従来の折り畳み型携帯電話機の構成の一例を図面を用いて説明する。図１１を参照すると、携帯電話機１０１は、第１の筐体（第１の筐体外郭表面１１０参照）と第２の筐体（第２の筐体外郭表面１２０参照）とが折り畳み可能に接続されており、第１の導体部分１１１と、第２の導体部分部分１２１と、連結部１３０と、給電部１４０と、アンテナ１５０と、を備える。
【０００４】
第１の導体部分１１１は、第１の筐体の内部に備えられた部品（回路基板、電子部品、フレーム等）の導体部分や、場合により第１の筐体の導体部分を含み、アンテナ特性上、全体として第１の筐体内に配された板状部分とみなすことができる。同じく、第２の導体部分１２１は、第２の筐体の内部に配された部品（回路基板、電子部品、フレーム等）の導体部分や、場合により第２の筐体の導体部分を含み、アンテナ特性上、全体として第２の筐体内に配された板状部分とみなすことができる。連結部１３０は、第１の導体部分１１１と第２の導体部分１２１を機械的に連結する部分であり、携帯電話機を折り畳む場合の回動部となる部分である。給電部１４０は、アンテナ１５０に電力を供給する部分であり、第１の筐体内であって第１の導体部分１１１の連結部１３０近傍に配される。アンテナ１５０は、第１の導体部分１１１の連結部１３０近傍から第１の筐体（第１の筐体外郭表面１１０参照）の外部に引き出されるとともに、携帯電話機を開いた状態において第２の筐体（第２の筐体外郭表面１２０参照）側に延在する外部アンテナである。アンテナ１５０は、給電部１４０に電気的に接続されており、第１の導体部分１１１との間で励振されることによってアンテナとして動作する。アンテナ１５０の先端部分は、スパイラル形状をしている。アンテナ１５０の先端側の延在部分は、携帯電話機１０１を開いたときに、第２の導体部分１２１の近傍であって第２の筐体外郭表面１２０と所定の間隔をあけた位置に配される。
【０００５】
【特許文献１】特開２００１−２５７５２２号公報
【特許文献２】特開２００１−１５６５１７号公報
【特許文献３】特開２００１−３２６５２４号公報
【特許文献４】特開２００３−１７９４２１号公報
【特許文献５】特開２００２−０４３８２６号公報
【特許文献６】特開２００２−３４４２３１号公報
【発明の開示】
【発明が解決しようとする課題】
【０００６】
図１１に示したようなタイプのアンテナの場合、携帯電話機の開閉状態によってアンテナ特性が著しく変化し、特に、携帯電話機を開いた状態において良好なアンテナ特性の確保が難しくなってきている。以下、図面を用いて詳しく説明する。
【０００７】
図１２は、従来の一例に係る折り畳み型携帯電話機の連結部（図１１の１３０）に導電性がない場合の筐体が開いた状態における電流の流れを説明するための概略図である。このような構成において、給電部１４０によって励起されたアンテナ１５０の電流Ｉａは、第１の導体部分１１１にも流れる。第１の導体部分１１１と第２の導体部分１２１とは、連結部１３０によって電気的に接続されていないため、第１の導体部分１１１から第２の導体部分１２１へは電流は流れない。しかしながら、第２の導体部分１２１の延在方向はアンテナ１５０の延在方向と実質的に同じ方向である（両方向が鋭角をなす場合は同じ方向のベクトル成分を有する）ため、アンテナ１５０に流れる電流Ｉａによって、第２の導体部分１２１に誘導電流Ｉｂが流れる。第２の導体部分１２１に流れる誘導電流Ｉｂの方向は、アンテナ１５０を流れる電流Ｉａの方向と実質的に同じ方向（連結部１３０に近づく方向）となる。このような状態では、アンテナ１５０からのパワーが第２の導体部分１２１に流れ、第２の導体部分１２１の導電損失によって装置全体のアンテナ特性が劣化してしまう。
【０００８】
図１３は、従来の一例に係る折り畳み型携帯電話機の連結部（図１１の１３０）に導電性がある場合の筐体が開いた状態における電流の流れを説明するための概略図である。このような構成において、給電部１４０によって励起されたアンテナ１５０を流れる電流Ｉａは、第１の導体部分１１１にも流れるが、第１の導体部分１１１と第２の導体部分１２１は導電性の連結部１３０によって電気的に接続されるため、第１の導体部分１１１から第２の導体部分１２１にも電流が流れることになる。また、第２の導体部分１２１を流れる電流の方向は、連結部１３０から遠ざかる向きとなるため、アンテナ１５０を流れる電流Ｉａと実質的に逆方向となる（両電流方向が鋭角をなす場合は逆方向のベクトル成分を有する）。そのため、第２の導体部分１２１を流れる導電電流の誘電作用により、アンテナ１５０を流れる電流Ｉａが減少してしまう。つまり、第２の導体部分１２１にはアンテナ１５０の誘電作用による誘導電流も流れるが、第２の導体部分１２１を流れる誘導電流は第２の導体部分１２１を流れる導電電流と比較して小さいため、第２の導体部分１２１を流れる導電電流による誘電作用によってアンテナ１５０を流れる電流Ｉａの低下が顕著となる。このように、第１の導体部分１１１と第２の導体部分１２１が電気的に接続されている場合、第２の導体部分１２１を流れる導電電流によってアンテナ特性が劣化するという問題があった。
【０００９】
従来技術において、絶縁体の一面側に輻射素子が形成され、他面側にグランド板が形成され、輻射素子に給電するための同軸ケーブルの中心導体は、輻射素子に電気的に接続され、この同軸ケーブルの外導体は、グランド板に電気的に２点で接続され、この２点間の距離は、外導体を流れる電流の４分の１波長に設定されたものがある（特許文献６参照）。これは、外導体に漏れ電流が流れた場合、この漏れ電流は、グランド板を流れる逆位相の電流により打ち消されるものであるが、輻射素子からのパワーがグランド板に流れ、グランド板の導電損失によって装置全体の輻射特性（アンテナ特性）が劣化してしまう。
【００１０】
本発明の目的は、導電電流によるアンテナ特性の劣化を抑制することができる携帯電話機を提供することである。
【課題を解決するための手段】
【００１１】
本発明の第１の視点においては、携帯電話機において、アンテナ側から見て少なくとも前記アンテナと導体部分が重なる領域の全体又は一部の領域に配設されるとともに、前記アンテナと前記導体部分との間に前記アンテナ及び前記導体部分のそれぞれと所定の間隔をおいて配され、かつ、前記導体部分から流れてきた電流を、前記導体部分を流れる電流の反転方向に誘導する反転エレメントを備えることを特徴とする。
【００１２】
本発明の第２の視点においては、携帯電話機において、アンテナ側から見て少なくとも前記アンテナと導体部分が重なる領域の全体又は一部の領域に配設されるとともに、前記アンテナと前記導体部分との間に前記アンテナ及び前記導体部分のそれぞれと所定の間隔をおいて配され、かつ、前記アンテナ側から見て前記アンテナに給電する前記導体部分の部位から離れた位置であって前記アンテナの先端部よりも先側の位置で前記導体部分と１又は２以上の接続部を介して電気的に接続する反転エレメントを備えることを特徴とする。
【００１３】
本発明の第３の視点においては、携帯電話機において、筐体、及びその内部に実装された部品の一方又は両方における所定の部位に配された導体部分と、前記筐体の外部に引き出されるとともに、前記導体部分の近傍で所定の方向に延在するアンテナと、前記導体部分の所定の位置に配されるとともに、前記アンテナに給電する給電部と、前記アンテナ側から見て少なくとも前記アンテナと前記導体部分が重なる領域の全体又は一部の領域に配設されるとともに、前記アンテナと前記導体部分との間に前記アンテナ及び前記導体部分のそれぞれと所定の間隔をおいて配され、かつ、前記導体部分から流れてきた電流を、前記導体部分を流れる電流の反転方向に誘導する反転エレメントと、を備えることを特徴とする。
【００１４】
本発明の第４の視点においては、携帯電話機において、筐体、及びその内部に実装された部品の一方又は両方における所定の部位に配された導体部分と、前記筐体の外部に引き出されるとともに、前記導体部分の近傍で所定の方向に延在するアンテナと、前記導電部分の所定の位置に配されるとともに、前記アンテナに給電する給電部と、前記アンテナ側から見て少なくとも前記アンテナと前記導体部分が重なる領域の全体又は一部の領域に配設されるとともに、前記アンテナと前記導体部分との間に前記アンテナ及び前記導体部分のそれぞれと所定の間隔をおいて配され、かつ、前記アンテナ側から見て前記給電部から離れた位置であって前記アンテナの先端部よりも先側の位置で前記導体部分と１又は２以上の接続部を介して電気的に接続する反転エレメントと、を備えることを特徴とする。
【００１５】
本発明の第５の視点においては、携帯電話機において、第１の筐体、及びその内部に実装された部品の一方又は両方における所定の部位に配された第１の導体部分と、第２の筐体、及びその内部に実装された部品の一方又は両方における所定の部位に配されるとともに、連結部を介して前記第１の導体部分と折り畳み可能に連結され、かつ、前記第１の導電部分と電気的に接続された第２の導体部分と、前記第１の筐体の前記連結部の近傍から前記第１の筐体の外部に引き出されるとともに、前記第１の筐体と前記第２の筐体が開いたときに前記第２の導体部分の近傍で所定の方向に延在するアンテナと、前記第１の導電部分の前記連結部の近傍に配されるとともに、前記アンテナに給電する給電部と、前記第１の筐体と前記第２の筐体が開いたときに、前記アンテナ側から見て少なくとも前記アンテナと前記第２の導体部分が重なる領域の全体又は一部の領域に配設されるとともに、前記アンテナと前記第２の導体部分との間に前記アンテナ及び前記第２の導体部分のそれぞれと所定の間隔をおいて配され、かつ、前記第２の導体部分から流れてきた電流を、前記第２の導体部分を流れる電流の反転方向に誘導する反転エレメントと、を備えることを特徴とする。
【００１６】
本発明の第６の視点においては、携帯電話機において、第１の筐体、及びその内部に実装された部品の一方又は両方における所定の部位に配された第１の導体部分と、第２の筐体、及びその内部に実装された部品の一方又は両方における所定の部位に配されるとともに、連結部を介して前記第１の導体部分と折り畳み可能に連結され、かつ、前記第１の導電部分と電気的に接続された第２の導体部分と、前記第１の筐体の前記連結部の近傍から前記第１の筐体の外部に引き出されるとともに、前記第１の筐体と前記第２の筐体が開いたときに前記第２の導体部分の近傍で所定の方向に延在するアンテナと、前記第１の導電部分の前記連結部の近傍に配されるとともに、前記アンテナに給電する給電部と、前記第１の筐体と前記第２の筐体が開いたときに、前記アンテナ側から見て少なくとも前記アンテナと前記第２の導体部分が重なる領域の全体又は一部の領域に配設されるとともに、前記アンテナと前記第２の導体部分との間に前記アンテナ及び前記第２の導体部分のそれぞれと所定の間隔をおいて配され、かつ、前記アンテナ側から見て前記連結部から離れた位置であって前記アンテナの先端部よりも先側の位置で前記第２の導体部分と１又は２以上の接続部を介して電気的に接続する反転エレメントと、を備えることを特徴とする。
【００１７】
本発明の前記携帯電話機において、前記反転エレメントは、板状の導体であるとともに、前記第２の導体部分及び前記アンテナの一方又は両方に略平行に配置されることが好ましい。
【００１８】
本発明の前記携帯電話機において、前記反転エレメントは、所定の位置に穴及び切り欠きの一方又は両方を有していてもよい。
【００１９】
本発明の前記携帯電話機において、前記反転エレメントには、筐体長に対する通信波長が短い場合に長手方向の長さが小さいものを用い、筐体長に対する通信波長が長い場合に長手方向の長さが大きいものを用いてもよい。
【００２０】
本発明の前記携帯電話機において、前記反転エレメントには、筐体長に対する通信波長が長い場合に短手方向の長さが小さいものを用い、筐体長に対する通信波長が短い場合に短手方向の長さが大きいものを用いてもよい。
【００２１】
本発明の前記携帯電話機において、前記反転エレメントは、前記連結部側の部位の短手方向の幅を、前記接続部側の部位の短手方向の幅より狭くなるように構成されていてもよい。
【００２２】
本発明の前記携帯電話機において、前記アンテナの先端部は、コイル状であってもよい。
【００２３】
本発明の前記携帯電話機において、前記接続部は、筐体長に対する通信波長が短い場合に前記連結部寄りの位置に配置され、筐体長に対する通信波長が長い場合に前記連結部から離れた位置に配置されていてもよい。
【００２４】
本発明の前記携帯電話機において、前記接続部は、コネクタを有していてもよい。
【００２５】
本発明の前記携帯電話機において、前記接続部は、クッション性のある導電材よりなり、かつ、前記反転エレメントと前記第２の導体部分の間に介在していてもよい。
【００２６】
本発明の前記携帯電話機において、前記接続部は、高周波電流における容量結合部分を有していてもよい。
【００２７】
本発明の前記携帯電話機において、前記反転エレメントと前記第２の導体部分の間に介在するとともに、絶縁材よりなるスペーサを備えていてもよい。
【００２８】
本発明の前記携帯電話機において、前記スペーサは、絶縁性クッション材よりなっていてもよい。
【発明の効果】
【００２９】
本発明（請求項１〜１８）によれば、反転エレメントにより導体部分を流れる導電電流の位相が制御され、アンテナ特性を改善させることができる。
【００３０】
本発明（請求項９〜１１、１３）によれば、インピーダンスの整合性を図りつつ、第２の導体部分を流れる導電電流によるアンテナ特性の劣化を抑制することができる。
【発明を実施するための最良の形態】
【００３１】
本発明の実施形態１について図面を用いて説明する。図１は、本発明の実施形態１に係る携帯電話機の構成を模式的に示した斜視図である。
【００３２】
この携帯電話機１は、第１の筐体（第１の筐体外郭表面１０参照）と第２の筐体（第２の筐体外郭表面２０参照）とが折り畳み可能に接続された折り畳み型携帯電話機であり、第１の導体部分１１と、第２の導体部分２１と、連結部３０と、給電部４０と、アンテナ５０と、反転エレメント６０と、接続部７０と、を有する。
【００３３】
第１の導体部分１１は、第１の筐体の内部に備えられた部品（回路基板、電子部品、フレーム等）の導体部分や、該当する場合には第１の筐体の導体部分を含み、アンテナ特性上、全体として第１の筐体内に配された板状部分とみなすことができる。第１の導体部分１１は、給電部４０と電気的に接続する。なお、第１の導体部分１１には、第１の筐体の全体又は一部がマグネシウム合金などの導体から構成されている場合には、当該導体に係る部分が含まれる。第１の筐体の全体が絶縁体から構成される場合、当該第１の筐体は、第１の導体部分１１に含まれない。
【００３４】
第２の導体部分は、第２の筐体の内部に配された部品（回路基板、電子部品、フレーム等）の導体部分や、該当する場合には第２の筐体の導体部分を含み、アンテナ特性上、全体として第２の筐体内部に配された板状部分とみなすことができる。なお、第２の導体部分２１には、第２の筐体の一部がマグネシウム合金などの導体から構成されている場合には、当該導体に係る部分が含まれる。ただし、第２の導体部分２１には、第２の筐体、及びその内部に実装された部品のうち反転エレメント６０及び接続部７０として機能する部分は含まれない。例えば、第２の筐体が、操作ボタンなどが配される操作側ケースと、その反対側（アンテナ側）のアンテナ側ケースと、に分けられる構成である場合、アンテナ側ケースはアンテナ５０との位置関係から第２の導体部分２１に含まれない。もっとも、操作側ケースにマグネシウム合金などの導体を用いた場合には、当該導体に係る部分が含まれる。
【００３５】
連結部３０は、第１の導体部分１１と第２の導体部分２１を機械的に（回動自在に）連結し、携帯電話機１を折り畳み可能にする部分であり、ヒンジ形態のほか、レボルバ形態であってもよい。連結部３０は、導電性を有し、第１の導体部分１１と第２の導体部分２１とを電気的に接続（高周波電流における容量結合を含む）する。
【００３６】
給電部４０は、アンテナ５０に電力を供給する部分であり、第１の筐体内であって第１の導体部分１１の連結部３０近傍に配される。
【００３７】
アンテナ５０は、第１の導体部分１１の連結部３０近傍から第１の筐体（第１の筐体外郭表面１０参照）の外部に引き出されるとともに、携帯電話機を開いた状態において第２の筐体（第２の筐体外郭表面２０参照）側に延在する外部アンテナである。アンテナ５０は、給電部４０に電気的に接続されており、第１の導体部分１１との間で励振されることによってアンテナとして動作する。アンテナ５０の先端側の延在する部分は、携帯電話機１を開いたときに、第２の導体部分２１の近傍であって第２の筐体外郭表面２０と所定の間隔をおいた位置に配される。アンテナ５０の先端部分は、スパイラル形状（コイル形状、ヘリカル形状）をしている。アンテナ５０の先端部分は、スパイラル形状の他にも直線状（図２（Ａ）参照）や、ミアンダ状（図２（Ｂ）参照）にしてもよい。直線状やミアンダ状とすることにより、スパイラル状の場合よりも、アンテナを薄型化することができる。
【００３８】
反転エレメント６０は、第２の導体部分２１を流れる導電電流の流れを反転方向に誘導する要素である。ここでいう反転方向とは、第２の導体部分２１における連結部３０側（末端側）から先端側に流れる導電電流の方向の反対側（のベクトル成分）の方向をいい、アンテナ５０の先端側から末端側への方向に対応する方向をいう。反転エレメント６０は、板状の導体であり、図１では第２の導体部分２１の法線方向から見て第２の導体部分２１のアンテナ側の全面と重なる領域に配されている。反転エレメント６０は、板面が平面でも曲面であってもよい。反転エレメント６０は、第２の導体部分２１と所定の間隔をおいて配設され、第１の導体部分１１、第２の導体部分２１、連結部３０、給電部４０及びアンテナ５０と直接接触する部分がなく、接続部７０を介して電気的に接続される。反転エレメント６０と第２の導体部分２１の間隔は、大きいほどアンテナ特性の改善効果が大きくなるが、反転エレメント６０のサイズ（縦、横）を調整することによって間隔を小さくすることも可能である。反転エレメント６０は、第２の導体部分２１とアンテナ５０の間に配置され、かつ、第２の導体部分２１と略平行になるように配される。なお、反転エレメント６０は、アンテナ５０の延在方向と略平行になるように、第２の導体部分２１と鋭角をなすように配置してもよい。反転エレメント６０には、板金、金属シート、金属箔等の板状の導体が用いられる。板状の導体の表面は、導電性向上もしくは酸化防止のため、金属めっきを形成してもよい。また、反転エレメント６０は、モールド（例えば、モールドよりなる第２の筐体の内面）の表面に蒸着、めっき等の導電性の材質を被覆したものを用いてもよい。なお、第２の筐体の一部がマグネシウム合金などの導体から構成されている場合には、当該導体に係る部分を反転エレメント６０として用いることもできる。例えば、第２の筐体が、操作ボタンなどが配される操作側ケースと、その反対側（アンテナ側）のアンテナ側ケースと、に分けられる構成である場合、アンテナ側ケースを反転エレメント６０として用いることができる。
【００３９】
接続部７０は、反転エレメント６０と第２の導体部分２１とを電気的に接続する部分である。接続部７０は、連結部３０から所定の離れた位置であって、アンテナ５０の先端よりも第２の導体部分２１の先端側（連結部３０側の反対側）に配設される。接続部７０は、図１では第２の導体部分２１の先端部及び、その近傍の反転エレメント６０の端部に接続されている。接続部７０は、インピーダンスの整合性のため、図１のように一本の配線だけでなく、２本以上の配線で反転エレメント６０と第２の導体部分２１とを電気的に接続してもよく（図３（Ａ）の７０ａ、７０ｂ参照）、第２の導体部分２１の先端側の端線（端面）と、その近傍の反転エレメント６０の端線（端面）とを電気的に接続してもよい。また、接続部７０には、反転エレメント６０と第２の導体部分２１の接続信頼性を高めるために、コネクタを用いてもよい（図３（Ｂ）の７０ｃ参照）。また、接続部７０は、インピーダンスの整合性のため、第２の導体部分２１の先端側の面と、これに対向する反転エレメント６０の面とを電気的に接続してもよい（図３（Ｃ）の７０ｄ参照）。また、接続部７０には、落下時などの衝撃を緩和して故障の発生を抑えるために、導電性クッションを用いてもよい（図３（Ｃ）の７０ｄ参照）。さらに、接続部７０は、アンテナ特性上、反転エレメント６０と第２の導体部分２１とを高周波電流における容量結合（キャパシタが介在する結合）を構成するようにしてもよい。
【００４０】
次に、実施形態１に係る携帯電話機の動作について、図面を用いて説明する。図４は、本発明の実施形態１に係る携帯電話機における電流の流れを説明するための概略断面図である。
【００４１】
アンテナ５０は、給電部４０によって励振されることによって、アンテナ５０先端から給電部４０側に電流（イメージ電流）が流れる。アンテナ５０を流れる電流Ｉａは、給電部４０を介して第１の導体部分１１にも流れる。第１の導体部分１１に流れる電流は、給電部４０から離れる方向に向かって流れる。よって、アンテナ５０を流れる電流と、第１の導体部分１１を流れる電流とは、給電部４０から連結部３０の間の狭い領域を除き、実質的に同じ向きとなる（互いに同じ向きのベクトル成分を有する）。
【００４２】
第１の導体部分１１に流れる電流は、導電性の連結部３０を介して、第２の導体部分２１に導電電流が流れる。第２の導体部分２１に流れる導電電流は、連結部３０から離れる方向に向かって流れる。ゆえに、アンテナ５０に流れる電流と第２の導体部分２１を流れる導電電流とは、実質的に逆向きに流れる（互いに逆向きのベクトル成分を有する）。
【００４３】
第２の導体部分２１に流れる導電電流は、第２の導体部分２１の先端側（連結部３０側の反対側）に配された接続部７０を介して反転エレメント６０にも流れる。第２の導体部分２１を流れる導電電流と、反転エレメント６０を流れる電流とは、同じ位相であるが、接続部７０により、反転エレメント６０に流れる電流と、第２の導体部分に流れる導電電流とは、逆向きとなる。よって、反転エレメント６０におけるアンテナ５０の近傍を流れる電流は、アンテナ５０を流れる電流と実質的に同じ向きとなる（互いに同じ向きのベクトル成分を有する）。
【００４４】
実施形態１によれば、アンテナ５０と第２の導体部分２１の間に反転エレメント６０を配置することにより、アンテナ特性を劣化させる原因となる電流（第２の導体部分２１を流れる導電電流；アンテナ５０を流れる電流と実質的に逆向きに流れる電流）の影響を軽減することができるため、アンテナ特性の劣化を軽減することができる。
【００４５】
本発明の実施形態２について図面を用いて説明する。図５は、本発明の実施形態２に係る携帯電話機の構成を模式的に示した斜視図である。
【００４６】
実施形態２では、アンテナ５０側から見て、第２の導体部分２１のアンテナ側の一部の面と重なり、かつ、少なくともアンテナ５０と第２の導体部分２１が重なる領域を含む領域に、反転エレメント６０を配設したものである。もちろん、反転エレメント６０は、アンテナ５０及び第２の導体部分２１と所定の間隔をおいた位置に配設させる。その他の構成については、実施形態１と同様である。
【００４７】
実施形態２の変形例として、図５のように反転エレメント６０を横方向に狭くしたような構成だけでなく、図６（Ａ）のように反転エレメント６０を縦方向に狭くしたような構成でもよい。また、図５のように接続部７０と第２の導体部分２１の接続を第２の導体部分２１の先端部に接続させる構成だけでなく、図６（Ｂ）のように第２の導体部分２１の中間部に接続させる構成でもよい。反転エレメント６０には、インピーダンスの整合性のために、（１）筐体長に対する通信波長が短い場合に長手方向の長さが小さいものを用い、筐体長に対する通信波長が長い場合に長手方向の長さが大きいものを用いることが好ましく、（２）筐体長に対する通信波長が長い場合に短手方向の長さが小さいものを用い、筐体長に対する通信波長が短い場合に短手方向の長さが大きいものを用いることが好ましく、（３）筐体長に対する通信波長が短い場合に接続部７０を連結部３０寄りの位置に配置し、筐体長に対する通信波長が長い場合に接続部７０を連結部３０から離れた位置に配置することが好ましい。
【００４８】
さらに、図５のように反転エレメント６０を矩形状に構成するだけでなく、図７（Ａ）及び（Ｂ）のように反転エレメント６０を連結部３０側の部位の横幅（短主方向の幅）を、接続部７０側の部位の横幅（短主方向の幅）より小さくなるように構成してもよい。
【００４９】
実施形態２によれば、反転エレメント６０を流れる電流を、実施形態１の反転エレメント（図１の６０）を流れる電流よりも、アンテナ５０近傍に収束させることができる。そして、収束された反転エレメント６０を流れる電流の誘電作用によって、アンテナ５０を流れる電流が増加し、結果としてアンテナ特性を向上させることができる。
【００５０】
本発明の実施形態３について図面を用いて説明する。図８は、本発明の実施形態３に係る携帯電話機の構成を模式的に示した斜視図である。実施形態３では、反転エレメント６０に穴、切り欠き等の開口部６０ａ、６０ｂを追加している。開口部６０ａ、６０ｂは、アンテナ特性上、アンテナ５０の近傍の領域に設けないことが好ましいが、アンテナ５０の近傍の領域の一部に開口部６０ａ、６０ｂを設けたものであっても、反転エレメント６０が全くないものよりはアンテナ特性は向上する。その場合、反転エレメント６０は、アンテナ５０側から見てアンテナ５０と第２の導体部分２１が重なる領域の全体のうち１０％以上かつ１００％以下の領域に配設されるようにし、好ましくは８０％以上かつ１００％以下の領域、より好ましくは９０％以上かつ１００％以下の領域である。その他の構成については、実施形態１、２と同様である。これによって、筐体の構造、内部実装等を考慮し、反転エレメント６０と他の部品が抵触する場合においても、反転エレメント６０を配設することができる。例えば、反転エレメント６０を配置する必要がある部分に、液晶画面、カメラ、ライト、ＬＥＤなどの部品を有する場合においても、反転エレメント６０を適用することができる。
【００５１】
次に、本発明の実施形態４について図面を用いて説明する。図９は、本発明の実施形態４に係る携帯電話機の構成を模式的に示した斜視図である。実施形態４では、反転エレメント６０と第２の導体部分２１の電気的な接続の方法として、反転エレメント６０の一部を接続部６０ｃとし、接続部６０ｃを第２の導体部分２１側に押付けたり、導電接着することで、接続部６０ｃと第２の導体部分２１と導通させている。その他の構成については、実施形態１〜３と同様である。実施形態４によれば、コネクタ等が不要であり、コストの低減が可能となる。
【００５２】
本発明の実施形態５について図面を用いて説明する。図１０は、本発明の実施形態５に係る携帯電話機の構成を模式的に示した概略断面図である。実施形態５では、第２の導体部分２１と反転エレメント６０の間にスペーサ８０を介在させている。スペーサ８０は、絶縁材・膜よりなり、反転エレメント６０と第２の導体部分２１との間隔を小さくすることを可能にするため、低誘電率材（Ｌｏｗ−ｋ材）を用いることが好ましい。また、スペーサ８０には、落下時などの衝撃を緩和して故障の発生を抑えるために、絶縁性クッション材を用いてもよい。スペーサ８０は、反転エレメント６０及び第２の導体部分２１の一方又は両方の表面に貼ることも可能である。その他の構成については、実施形態１〜４と同様である。実施形態５によれば、反転エレメント６０が第２の導体部分２１と接続部７０以外の部位で接触することを回避することが可能となる。
【図面の簡単な説明】
【００５３】
【図１】本発明の実施形態１に係る携帯電話機の構成を模式的に示した斜視図である。
【図２】本発明の実施形態１に係る携帯電話機の構成におけるアンテナを変形した例を模式的に示した部分斜視図である。
【図３】本発明の実施形態１に係る携帯電話機の構成における接続部を変形した例を模式的に示した部分斜視図である。
【図４】本発明の実施形態１に係る携帯電話機における電流の流れを説明するための概略断面図である。
【図５】本発明の実施形態２に係る携帯電話機の構成を模式的に示した斜視図である。
【図６】本発明の実施形態２に係る携帯電話機の構成の変形例を模式的に示した斜視図である。
【図７】本発明の実施形態２に係る携帯電話機の構成の変形例を模式的に示した斜視図である。
【図８】本発明の実施形態３に係る携帯電話機の構成を模式的に示した斜視図である。
【図９】本発明の実施形態４に係る携帯電話機の構成を模式的に示した斜視図である。
【図１０】本発明の実施形態５に係る携帯電話機の構成を模式的に示した概略断面図である。
【図１１】従来の一例に係る携帯電話機の構成を模式的に示した斜視図である。
【図１２】従来の一例に係る携帯電話機の連結部に導電性がない場合の筐体が開いた状態における電流の流れを説明するための概略図である。
【図１３】従来の一例に係る携帯電話機の連結部に導電性がある場合の筐体が開いた状態における電流の流れを説明するための概略図である。
【符号の説明】
【００５４】
１、１０１  携帯電話機
１０、１１０  第１の筐体外郭表面
１１、１１１  第１の導体部分
２０、１２０  第２の筐体外郭表面
２１、１２１  第２の導体部分
３０、１３０  連結部
４０、１４０  給電部
５０、１５０  外部アンテナ
６０  反転エレメント
６０ａ、６０ｂ  開口部
６０ｃ  接続部
７０  接続部
７０ａ、７０ｂ  配線
７０ｃ  コネクタ
７０ｄ  導電性クッション
８０  スペーサ
【図１】
2006086715.tif 000003
【図２】
2006086715.tif 000004
【図３】
2006086715.tif 000005
【図４】
2006086715.tif 000006
【図５】
2006086715.tif 000007
【図６】
2006086715.tif 000008
【図７】
2006086715.tif 000009
【図８】
2006086715.tif 000010
【図９】
2006086715.tif 000011
【図１０】
2006086715.tif 000012
【図１１】
2006086715.tif 000013
【図１２】
2006086715.tif 000014
【図１３】
2006086715.tif 000015